【手続補正書】
【提出日】平成27年10月29日(2015.10.29)
【手続補正１】
【補正対象書類名】特許請求の範囲
【補正対象項目名】全文
【補正方法】変更
【補正の内容】
【特許請求の範囲】
【請求項１】
対象の気道と流体連通する呼吸回路内の呼吸性ガスのフローの組成をモニタするガス測定モジュールであって、前記ガス測定モジュールが、前記気道と流体連通する気道アダプタと組み合わさるよう構成され、
赤外線電磁放射を放出する放射体と、
そこに入射する電磁放射の一つ以上のパラメータに関する情報を伝える出力信号を生成する検出器と、
前記放射体によって放出される前記電磁放射を前記気道アダプタのサンプリングチャンバを通り前記検出器へガイドする複数の光学素子とを有し、
前記サンプリングチャンバが第１開口と第２開口を持ち、前記呼吸回路内の前記呼吸性ガスのフローがそこを通過するように前記第１開口と前記第２開口の間に流路を形成し、
前記複数の光学素子は、前記気道アダプタの反対側に形成される第１及び第２の気道アダプタ窓を介して、前記サンプリングチャンバを通り前記放射体により放出される電磁放射をガイドするよう構成される第１の光学素子と、前記第１及び第２の気道アダプタ窓を介して、前記サンプリングチャンバを通り戻る、前記サンプリングチャンバの前記第２の気道アダプタ窓からの前記電磁放射を反射するよう構成される第２の光学素子と、前記サンプリングチャンバの前記第１の気道アダプタ窓から放出される前記電磁放射を前記検出器へと反射するよう構成される第３の光学素子とを有し、前記検出器によって生成される前記出力信号が、前記サンプリングチャンバとその中の前記呼吸性ガスのフローとを二度横断した前記電磁放射の一つ以上のパラメータに関する情報を伝え、
前記光学素子の少なくとも一つがトーリック素子である、ガス測定モジュール。
【請求項２】
前記第２の光学素子が前記サンプリングチャンバの前記第２の気道アダプタ窓に若しくはこれに隣接して配置される折り畳みミラーを有し、前記折り畳みミラーが前記トーリック素子である、請求項１に記載のガス測定モジュール。
【請求項３】
前記第３の光学素子が、前記第１の気道アダプタ窓からの前記受けとった電磁放射を前記検出器の方へガイドする回転ミラーを有し、前記回転ミラーが前記トーリック素子である、請求項１に記載のガス測定モジュール。
【請求項４】
前記検出器が二つの個別感光センサを有し、前記複数の光学素子が、
前記サンプリングチャンバとその中の前記呼吸性ガスのフローを二度横断した前記電磁放射を受けるビームスプリッタと、
前記ビームスプリッタから電磁放射を受けとり、前記二つの個別感光センサ上に前記電磁放射を向ける二つの検出器ミラーとをさらに有し、
前記二つの検出器ミラーが両方ともトーリック素子である、請求項１に記載のガス測定モジュール。
【請求項５】
前記放射体、前記検出器、及び前記光学素子が、前記サンプリングチャンバを形成する前記気道アダプタと取り外し可能に結合されるハウジング内に保持され、前記ハウジングは、該ハウジングが前記気道アダプタに結合されるとき、前記第１及び第２の気道アダプタ窓にそれぞれ整列される第１及び第２のモジュールミラーを有する、請求項１に記載のガス測定モジュール。
【請求項６】
対象の気道と流体連通する呼吸回路内の呼吸性ガスのフローの組成を前記呼吸回路の気道アダプタと組み合わされるよう構成されるガス測定モジュールを用いてモニタリングする方法であって、
前記ガス測定モジュールにおける放射体から赤外線電磁放射を放出するステップと、
前記放射体によって放出される前記電磁放射を、前記気道アダプタのサンプリングチャンバの第１の窓を通して前記サンプリングチャンバへ、前記サンプリングチャンバをわたって前記サンプリングチャンバの第２の窓へ、反射させるステップであって、前記第１及び第２の窓が、前記サンプリングチャンバの反対側にある、ステップと、
前記第２の窓から出る前記電磁放射を、前記サンプリングチャンバを横切って戻って前記第２の窓を通り前記サンプリングチャンバの前記第１の窓へ、反射させるステップと、
前記第１の窓から出る前記電磁放射を検出器上へ反射させるステップとを有し、
前記サンプリングチャンバが第１開口と第２開口を持ち、前記電磁放射が流路とその中の前記呼吸性ガスのフローを行き来して通過するよう、前記呼吸回路内の前記呼吸性ガスのフローがそこを通過するように前記第１開口と前記第２開口の間に前記流路を形成し、
前記電磁放射を反射させるステップの少なくとも１つが少なくとも一つのトーリック光学素子によって一部実行され、
前記サンプリングチャンバとその中の前記呼吸性ガスのフローを二度横断した前記電子放射の一つ以上のパラメータに関する情報を伝える出力信号を生成するステップとを有する、方法。
【請求項７】
前記少なくとも一つのトーリック光学素子が前記サンプリングチャンバの前記第２の窓若しくはその付近に配置される折り畳みミラーを有する、請求項６に記載の方法。
【請求項８】
前記少なくとも一つのトーリック光学素子が、前記第１の窓に又はこの近くに配置される回転ミラーを有し、前記サンプリングチャンバとその中の前記呼吸性ガスのフローを二度横断した前記電磁放射を受けとり、前記受けとった電磁放射を前記検出器の方へガイドするよう構成される、請求項６に記載の方法。
【請求項９】
前記方法が、
前記回転ミラーにより反射される前記電磁放射を分割するステップであって、前記検出器が二つの個別感光センサを有する、ステップと、
前記分割された電磁放射をそれぞれ前記二つの個別感光センサ上に向けるため、二つの検出器ミラーを用いて前記分割された電磁放射を反射させるステップとを更に有する、請求項６に記載の方法。
【請求項１０】
前記サンプリングチャンバにハウジングを取り外し可能に結合するステップをさらに有し、前記ハウジングが前記放射体と、前記検出器と、前記少なくとも一つのトーリック光学素子とを保持する、請求項６に記載の方法。
【請求項１１】
対象の気道と流体連通する呼吸回路内の呼吸性ガスのフローの組成をモニタリングするためのシステムであって、
赤外線電磁放射を放出するための手段と、
そこに入射する電磁放射の一つ以上のパラメータに関する情報を伝える出力信号を生成するための手段と、
前記放出するための手段によって放出される前記電磁放射を、気道アダプタのサンプリングチャンバへと、前記気道アダプタの第１の窓を通して、前記サンプリングチャンバをわたって、前記第１の窓から前記気道アダプタの反対側の前記気道アダプタの第２の窓の外へ、ガイドし、前記第２の窓からの前記電磁放射を、前記サンプリングチャンバを横切って戻って前記第２の窓を通り前記気道アダプタの前記第１の窓の外へ、ガイドし、及び前記第１の窓からの前記電磁放射を、前記生成するための手段へ反射するための手段であって、前記出力信号がサンプリングチャンバと前記呼吸性ガスのフローとを二度横断した前記電磁放射の一つ以上のパラメータに関する情報を伝える、手段とを有し、
前記サンプリングチャンバが第１開口と第２開口を持ち、前記電磁放射が流路とその中の前記呼吸性ガスのフローを前記第１及び第２の窓を介して行き来して通過するよう、前記呼吸回路内の前記呼吸性ガスのフローがそこを通過するように前記第１開口と前記第２開口の間に前記流路を形成し、
前記ガイドするための手段が少なくとも一つのトーリック光学素子を含む、システム。
【請求項１２】
前記少なくとも一つのトーリック光学素子が、前記第２の窓からの前記電磁放射を前記サンプリングチャンバを横切って戻るよう反射させるため前記気道アダプタの前記第２の窓若しくはその付近に配置される折り畳みミラーを有する、請求項１１に記載のシステム。
【請求項１３】
前記少なくとも一つのトーリック光学素子が、前記気道アダプタに又はこの近くに配置される回転ミラーであって、前記サンプリングチャンバとその中の前記呼吸性ガスのフローとを二度横断した前記電磁放射を受けとり、前記受けとった電磁放射を前記生成するための手段の方へ反射させる回転ミラーを有する、請求項１１に記載のシステム。
【請求項１４】
前記回転ミラーから反射される前記電磁放射を分割するための手段をさらに有し、前記生成するための手段が二つの個別感光センサと、前記分割された電磁放射を別々に受けとり前記分割された電磁放射をそれぞれ前記二つの個別感光センサ上に向ける二つの検出器ミラーとを有する、請求項１３に記載のシステム。
【請求項１５】
前記放出するための手段、前記生成するための手段、及び前記ガイドするための手段を収納するための手段と、
前記サンプリングチャンバに前記収納するための手段を取り外し可能に結合するための手段とをさらに有する、請求項１１に記載のシステム。